(57)【特許請求の範囲】
【請求項１】
所定のストローク深さを押下可能な鍵盤と、該鍵盤にアクションを模擬した荷重を付与するアクション荷重模擬部材とを備えた電子楽器の鍵盤装置において、
前記アクション荷重模擬部材は、
鍵盤装置本体に回動自在に取り付けられ、前記鍵盤がストローク深さ押下されると前記鍵盤の回動に伴ってウィペン初期位置からウィペン回動位置まで回動するウィペン相当部材と、
前記ウィペン相当部材に回動自在に取り付けられ、該ウィペン相当部材がウィペン初期位置からウィペン回動位置まで回動するに伴いジャック初期位置からジャック回動位置まで回動しつつ上昇するジャック相当部材と、
前記ウィペン相当部材に備えられ、該ウィペン相当部材がウィペン回動位置にあるときに仮想打弦位置からハンマー初期位置に向かって回動する前記ハンマー相当部材をハンマー戻り位置にて支持するバックチェック相当部材と、
鍵盤装置本体に回動自在に取り付けられ、前記ジャック相当部材がジャック初期位置からジャック回動位置まで回動する間、当初該ジャック相当部材に突き上げられてハンマー初期位置から回動し始めその後該ジャック相当部材から離れて慣性運動するハンマー相当部材と、
前記慣性運動しているハンマー相当部材と当接して該ハンマー相当部材の動作を仮想打弦位置にて阻止するストッパーと、
前記ハンマー相当部材の近傍に設けられ、少なくとも該ハンマー相当部材がハンマー初期位置とハンマー戻り位置との間に定めた所定位置に達したことを検出する第１検出器、および該ハンマー相当部材が仮想打弦位置に達したことを検出する第２検出器を備えた検出手段と
を備え、
前記第２検出器は接触型のスイッチからなり、前記ストッパーはこの第２検出器であって、
前記ハンマー相当部材は、木材に比べて比重が大きな素材から構成されていること
を特徴とする電子楽器の鍵盤装置。
【請求項２】
前記ハンマー相当部材は、略直方体に成形されたアクリル樹脂から成ることを特徴とする請求項１に記載の電子楽器の鍵盤装置。
【請求項３】
請求項１または請求項２に記載の電子楽器の鍵盤装置と、
第２検出器が前記ハンマー相当部材を検出した時に基づいて発音させ、その後第１検出器が前記ハンマー相当部材を検出した時に基づいて止音させる電子音制御手段と
を備えたことを特徴とする電子ピアノ。
【請求項４】
前記電子音制御手段は、第１及び第２検出器が前記ハンマー相当部材を検出した時に基づいて打鍵情報を求め、該打鍵情報により電子音を発音させることを特徴とする請求項３記載の電子ピアノ。
【発明の詳細な説明】
【０００１】
【発明の属する技術分野】
本発明は、所定のストローク深さを押下可能な鍵盤と、該鍵盤にアクションを模擬した荷重を付与するアクション荷重模擬部材とを備えた電子楽器の鍵盤装置及び電子ピアノに関するものである。
【０００２】
【従来の技術及び発明が解決しようとする課題】
電子ピアノは、演奏者の押鍵・離鍵操作に基づき電子音をスピーカから発するものであり、かかる電子ピアノから発せられる音は改良が重ねられた結果、近年ではあまり不満のないレベルにまで達している。これに対して、鍵盤のタッチ感は、アコスティックピアノに比べてかなり異なることが指摘され、この点についても種々の改良が重ねられていた。
【０００３】
このような改良が進むにつれ、アコスティックピアノのアクション機構と略同等のアクション模擬荷重部材を備えた電子ピアノが開発されるに至った。かかる電子ピアノのアクション荷重模擬部材は、図５に示すように、押鍵操作により鍵盤が回動するに伴い回動するウィペン相当部材２１５と、押鍵操作によりウィペン相当部材２１５が回動するにつれて上昇するジャック相当部材２１７と、ジャック相当部材２１７に突き上げられて回動した後、該ジャック相当部材２１７から離間して慣性運動するハンマー相当部材２２１と、慣性運動しているハンマー相当部材２２１と当接して該ハンマー相当部材２２１の動作を阻止するストッパー２３２を備えている。そして、鍵盤２１１の下方には、押鍵・離鍵を検出するボタンスイッチ２６０が設けられている。このボタンスイッチ２６０は内部に２つのスイッチを備え、鍵盤が押されるとまず一方のスイッチが押されてオン信号を発し、その後更に鍵盤が押されてストローク深さに達すると他方のスイッチが押されてオン信号を発するのである。電子音を制御する制御装置は、このボタンスイッチの２つのスイッチの信号に基づいて打弦情報を求めて打弦音を発生したり、止音情報を求めて止音したりしていた。この電子ピアノによれば、打弦しない点を除いては通常のアコスティックピアノとアクション機構が同じであるため、ピアノのタッチ感はアコスティックピアノと同等である。
【０００４】
しかしながら、通常のアコスティックピアノでは筬と鍵盤との間には十分な間隔がないため、上記電子ピアノのように鍵盤２１１の下方にボタンスイッチ２６０を取り付けるには筬２０８と鍵盤２１１の間隔を広くしなければならず、その結果鍵盤装置の高さが高くなり、アコスティックピアノと外観上異なるという不都合があった。
【０００５】
また、通常のアコスティックピアノでは、鍵盤の高さを調整する際、筬と鍵盤の隙間に入れるバランスパンチングの厚さを調整することにより行うが、上記電子ピアノのように鍵盤２１１の下方にボタンスイッチ２６０がある場合にバランスパンチング２０９により鍵盤の高さ調整を行うと、ボタンスイッチ２６０のオンオフのタイミングも変化してしまうため、ボタンスイッチ２６０の高さも調整しなければならないという不都合があった。
【０００６】
更に、アコスティックピアノでは鍵盤が押下されてからハンマーが打弦するまでにタイムラグが生じるが、上記電子ピアノでは鍵盤２１１の動作により打弦音を発生させるためこのタイムラグを忠実に再現することができず、タッチレスポンス（音の出るタイミング）がアコスティックピアノと異なるという問題もあった。
【０００７】
本発明は上記課題に鑑みなされたものであり、鍵盤の高さ調整の際アコスティックピアノと同様の手法を適用でき、ピアノのタッチ感ばかりか外観やタッチレスポンスもアコスティックピアノと同等である電子楽器の鍵盤装置及び電子ピアノを提供することを目的とする。
【０００８】
【課題を解決するための手段及び発明の効果】
上記課題を解決するため、請求項１記載の発明は、所定のストローク深さを押下可能な鍵盤と、該鍵盤にアクションを模擬した荷重を付与するアクション荷重模擬部材とを備えた電子楽器の鍵盤装置において、
前記アクション荷重模擬部材は、
鍵盤装置本体に回動自在に取り付けられ、前記鍵盤がストローク深さ押下されると前記鍵盤の回動に伴ってウィペン初期位置からウィペン回動位置まで回動するウィペン相当部材と、
前記ウィペン相当部材に回動自在に取り付けられ、該ウィペン相当部材がウィペン初期位置からウィペン回動位置まで回動するに伴いジャック初期位置からジャック回動位置まで回動しつつ上昇するジャック相当部材と、
前記ウィペン相当部材に備えられ、該ウィペン相当部材がウィペン回動位置にあるときに仮想打弦位置からハンマー初期位置に向かって回動する前記ハンマー相当部材をハンマー戻り位置にて支持するバックチェック相当部材と、
鍵盤装置本体に回動自在に取り付けられ、前記ジャック相当部材がジャック初期位置からジャック回動位置まで回動する間、当初該ジャック相当部材に突き上げられてハンマー初期位置から回動し始めその後該ジャック相当部材から離れて慣性運動するハンマー相当部材と、
前記慣性運動しているハンマー相当部材と当接して該ハンマー相当部材の動作を仮想打弦位置にて阻止するストッパーと、
前記ハンマー相当部材の近傍に設けられ、少なくとも該ハンマー相当部材がハンマー初期位置とハンマー戻り位置との間に定めた所定位置に達したことを検出する第１検出器、および該ハンマー相当部材が仮想打弦位置に達したことを検出する第２検出器を備えた検出手段と
を備え、
前記第２検出器は接触型のスイッチからなり、前記ストッパーはこの第２検出器であって、
前記ハンマー相当部材は、木材に比べて比重が大きな素材から構成されていること
を特徴とする。
【０００９】
ここで、各部材の初期位置とは、鍵盤が押鍵される前つまり離鍵状態における各部材の位置を表し、各部材の回動位置とは、鍵盤がストローク深さ押下されたときつまり押鍵状態における各部材の位置を表す。また、仮想打弦位置とは、通常のアコスティックピアノにおける打弦位置に相当する位置である。
【００１０】
かかる電子楽器の鍵盤装置では、ウィペン相当部材は、演奏者の押鍵操作により鍵盤が所定のストローク深さ押下されると鍵盤の回動に伴ってウィペン初期位置からウィペン回動位置まで回動する。すると、ジャック相当部材はジャック初期位置からジャック回動位置まで回動しつつ上昇する。このジャック相当部材がジャック初期位置からジャック回動位置まで回動する間、ハンマー相当部材は当初ジャック相当部材に突き上げられてハンマー初期位置から回動し始めその後該ジャック相当部材から離れて慣性運動する。そして、ストッパーは、慣性運動しているハンマー相当部材と当接して該ハンマー相当部材の動作を仮想打弦位置にて阻止し、検出手段は、ハンマー相当部材が仮想打弦位置に達したことを検出する。この検出手段の検出時に基づいて発音を制御することができる。
【００１１】
かかる電子楽器の鍵盤装置によれば、アクション荷重模擬部材は、打弦を行わない点を除き、通常のアコスティックピアノのアクション機構と同じ動作を行う。このため、演奏者が押鍵操作したときの鍵盤のタッチ感は、通常のアコスティックピアノのタッチ感と同等であるという効果が得られる。
【００１２】
また、検出手段は従来のように鍵盤の下方ではなくハンマー相当部材の近傍に設けられているため、筬と鍵盤との間隔を広げる必要がなく通常のアコスティックピアノと同等の外観になり、また鍵盤高さを調整する際通常のアコスティックピアノと同様の手法（バランスパンチングの厚さによる調整）をそのまま適用できるという効果が得られる。
【００１３】
更に、ハンマー相当部材が仮想打弦位置に達したときを発音タイミングとすることができる。この場合、アコスティックピアノにおけるタイムラグを忠実に再現することができ、タッチレスポンスがアコスティックピアノと同等になるという効果が得られる。ここで、タイムラグとは、アコスティックピアノにおいて鍵盤がストローク深さ押下されてからハンマーが打弦するまでの時間差をいう。このタイムラグは、特に鍵盤を素早く押下したとき、鍵盤内に一瞬エネルギーが蓄えられ、反対側（アクション荷重模擬部材と連結された側）がすぐに跳ね上がらないため、顕著に生じる。
【００１５】
また、この鍵盤装置では、第２検出器がハンマー相当部材を検出したときを発音タイミングとし、その後第１検出器がハンマー相当部材を検出したときを止音タイミングとすることができる。この場合、鍵盤がストローク深さに至った状態が解消されない限り、止音タイミングとならない。これにより、通常のアコスティックピアノと同様の止音タイミングが得られる。この点に関し、従来の多くの電子ピアノでは止音タイミングを鍵盤に設けた他の検出手段により検出していたが、ここでは第１検出器により止音タイミングを確実に検出できるため、従来のように鍵盤に他の検出手段を設ける必要がない。このため、鍵盤に他の検出手段を設けるのに必要となるコストが削減できるという効果が得られる。
【００１６】
尚、第１及び第２検出器としては、例えば、ハンマー相当部材により押圧・押圧解除される接触型のスイッチ（ボタンスイッチとかリーフスイッチなど）や、ハンマー相当部材により遮光・通光される非接触型の光スイッチなどを用いることができる。また、第１及び第２検出器は必ずしも両者同じタイプの検出器とする必要はなく、例えば第１検出器を非接触型スイッチとし、第２検出器を接触型スイッチとしてもよい。
【００１７】
さらに、この鍵盤装置では、第２検出器を同時にストッパーとして用いることができるため、ストッパーを別に設ける必要がなく、その分組立工程が簡略化される上、コスト的にも有利になるという効果が得られる。
また、ハンマー相当部材は、通常、木製であるが、ハンマー相当部材を、木材に比べて比重が大きな素材により構成しているので、ハンマー相当部材をコンパクト化することができる。
【００１８】
次に、請求項２に記載の電子楽器の鍵盤装置は、請求項１に記載の電子楽器の鍵盤装置において、ハンマー相当部材が略直方体に成形されたアクリル樹脂から成ることを特徴としている。
このようにしても、ハンマー相当部材をコンパクト化することができる。
【００１９】
次に、請求項３記載の発明は、電子ピアノであって、請求項１または請求項２に記載の電子楽器の鍵盤装置と、第２検出器が前記ハンマー相当部材を検出した時に基づいて発音させ、その後第１検出器が前記ハンマー相当部材を検出した時に基づいて止音させる電子音制御手段とを備えたことを特徴とする。
かかる電子ピアノでは、電子音制御手段はハンマー相当部材が仮想打弦位置に達したときに発音させる。この場合、アコスティックピアノにおけるタイムラグを忠実に再現することができ、タッチレスポンスがアコスティックピアノと同等になるという効果が得られる。
【００２０】
また、この電子ピアノでは、第２検出器がハンマー相当部材を検出したときが発音タイミングとなり、その後第１検出器がハンマー相当部材を検出したときが止音タイミングとなる。この場合、鍵盤がストローク深さに至った状態が解消されない限り、止音タイミングとならない。これにより、通常のアコスティックピアノと同様の止音タイミングが得られる。
【００２１】
請求項４記載の発明は、請求項３記載の電子ピアノであって、前記電子音制御手段は、第１及び第２検出器が前記ハンマー相当部材を検出した時に基づいて打鍵情報を求め、該打鍵情報により電子音を発音させることを特徴とする。
かかる電子ピアノでは、例えば、ハンマー相当部材を第１検出器が検出してから第２検出器が検出するまでの時間差に基づいて打鍵情報（例えば打鍵強度）を求めることが好ましい。
【００２２】
かかる電子ピアノによれば、打鍵情報、発音タイミング、止音タイミングを１箇所に設けた検出手段で検出できるため、各情報毎に異なる位置に検出手段を設ける場合と比べてコスト面で有利である。
尚、本発明の電子ピアノは電子音を発生するピアノであるため、弦は不要とすることができ、弦を張架するためのフレームや支柱等の重量部材も不要とすることができる。また、電子音制御手段は、電子楽器の鍵盤装置（例えばマスターキーボード）と別体とし、ケーブル線等で該鍵盤装置と接続するように構成してもよい。
【００２３】
【発明の実施の形態】
以下に、本発明の好適な実施例を図面に基づいて説明する。尚、本発明の実施の形態は、下記の実施例に何ら限定されるものではなく、本発明の技術的範囲に属する限り種々の形態を採り得ることはいうまでもない。
［第１実施例］
図１は第１実施例の概略ブロック図、図２は第１実施例のアクション荷重模擬部材の説明図である。電子ピアノ１は、図１に示すように、アクション荷重模擬部材２、鍵盤１１、ボタンスイッチ６０、制御装置１０、電子音源５及びスピーカ６から構成されている。
【００２４】
アクション荷重模擬部材２は、図２に示すように、ウィペン１５、レギュレチングレール１６、ジャック１７、バット１８、ハンマー２３を備えたハンマーシャンク２１、キャッチャ２０を備えたキャッチャシャンク１９から構成されている。このアクション荷重模擬部材２は、電子ピアノ１の左右に垂設された支持部材（図示せず）により支持されている。即ち、この支持部材にはセンターレール１４、レギュレチングレール１６、ストップレール３２、ハンマーレール２８が架設されている。
【００２５】
センターレール１４には、図２に示すように、ウィペンフレンジ１３、バットフレンジ１８ａを介してそれぞれウィペン１５、バット１８が回動可能に取り付けられ、ウィペン１５にはジャック１７が回動可能に取り付けられ、バット１８にはハンマーシャンク２１及びキャッチャシャンク１９が固着されている。ジャック１７は圧縮バネ１７ｂにより図２にて反時計方向に付勢されている。また、レギュレチングレール１６は、レギュレチングボタンに相当する部材であり、レールの下側にフェルトが貼付されたものである。
【００２６】
ストップレール３２は、ハンマー２３を仮想打弦位置ＨＨにて停止させるものである。即ち、ハンマー２３は、ジャック１７によりバット１８が突き上げられるとハンマー初期位置Ｈ１から反時計回りに回動し、その後ジャック１７がバット１８から離れると慣性運動により反時計回りに回動し続けるのであるが、ストップレール３２は、この慣性運動を行っているハンマー２３と当接しハンマー２３の動作を停止させる位置に設けられているのである。ストップレール３２には、ハンマー２３に対向する面に緩衝材としてのフェルト３２ａが貼付されている。ハンマーレール２８は、ハンマー初期位置Ｈ１にあるハンマーシャンク２１を支持するものであり、ハンマーシャンク２１に対向する面に緩衝材としてのフェルト２８ａが貼付されている。
【００２７】
尚、ハンマー２３はアクリル樹脂を略直方体に成形したものであり、木材に比べて比重が大きいため、通常の木製ハンマーと同重量に設計されているものの、ハンマーシャンク２１を含めてコンパクト化されている。また、以下にはバット１８、キャッチャシャンク１９、キャッチャ２０、ハンマーシャンク２１及びハンマー２３をハンマー相当部材Ｈと称する。
【００２８】
ボタンスイッチ６０は、図２に示すように、弾力性のある材料（ゴム、合成樹脂など）により形成されたカバー６１の中にそれぞれ固定接点と可動接点が一対となった第１スイッチＳＷ１、第２スイッチＳＷ２を有している。このボタンスイッチ６０は、プリント基板Ｐ上においてバット１８と対向する位置に配設されている。第１スイッチＳＷ１は、ハンマー相当部材Ｈがハンマー初期位置Ｈ１からハンマー中間位置ＨＢ（後述）までの間に定めた所定位置（図示せず）に至ったとき、バット１８によりスイッチが切り替えられる。また、第２スイッチＳＷ２は、ハンマー相当部材Ｈが仮想打弦位置ＨＨに至ったときのみバット１８により押圧されてオンになる。
【００２９】
制御装置１０は、図１に示すように、入出力ポート７１、周知のＣＰＵ７２、ＲＯＭ７３、ＲＡＭ７４、バックアップＲＡＭ７５、クロック７６等を含む論理演算回路として構成され、これらは互いにバス７７により接続されている。この制御装置１０は、ボタンスイッチ６０の第１及び第２スイッチＳＷ１、ＳＷ２からの信号を入出力ポート７１を介して入力するよう接続され、また、制御信号を入出力ポート７１を介して電子音源５に出力するよう接続されている。ＣＰＵ７２は、ＲＯＭ７３に記憶された制御プログラムに基づいて、電子音源５に制御信号を出力するものである。なお、制御装置１０には、ダンパーペダル、ソフトペダル等のペダル機構の動作を検出するペダルセンサ（図示略）も接続され、この検出情報をも加味して、電子音源５に信号を出力するものである。
【００３０】
電子音源５は、アコスティックピアノの演奏音即ち打弦音を記録した記録部（図示略）と、この記録部から音を読み出す再生部（図示略）とを備えたものであり、スピーカ６を通じて外部に発音するものである。
次に、電子ピアノ１の動作について図２に基づいて説明する。
【００３１】
演奏者が鍵盤１１を所定のストローク深さ押下すると、ウィペン１５はキャプスタンスクリュー１２を介して鍵盤１１に連結されているため、鍵盤１１がバランスピン７を中心として回動する方向とは逆向き（図２にて反時計回り）に回動し、ウィペン初期位置Ｗ１からウィペン回動位置Ｗ２まで回動する。
【００３２】
これに伴い、ジャック１７はジャック初期位置Ｊ１から回動しつつ上昇してジャック回動位置Ｊ２に至るが、この間におけるハンマー相当部材Ｈの動作を詳述する。即ち、ジャック１７がジャック初期位置Ｊ１から回動しつつ上昇すると、ハンマー初期位置Ｈ１にあったバット１８はジャック１７により突き上げられるため、ハンマー相当部材Ｈは回動軸１８ｂを中心として鍵盤１１の回動方向とは逆向き（図２にて反時計回り）に回動する。そして、ジャック１７がある程度上昇すると、ジャックテール１７ａがレギュレチングレール１６に当接するため、ジャック１７は鍵盤１１の回動方向（図２にて時計回り）に回動し、バット１８から抜け出して最終的にジャック回動位置Ｊ２に至る。この際、バット１８はジャック１７から離間するため、ハンマー相当部材Ｈは慣性運動を行う。慣性運動中のハンマー相当部材Ｈのハンマー２３は仮想打弦位置ＨＨにてストップレール３２のフェルト３２ａに衝突し、その動作を阻止される。
【００３３】
このように、ハンマー相当部材Ｈは、図２に示すようにハンマー初期位置Ｈ１からハンマー中間位置ＨＢ（後述）を経て仮想打弦位置ＨＨに至るのであるが、ボタンスイッチ６０の第１スイッチＳＷ１はハンマー初期位置Ｈ１からハンマー中間位置ＨＢの途中でバット１８に押されてオフからオンになり、第２スイッチＳＷ２は仮想打弦位置ＨＨに至ったバット１８により押されてオフからオンとなる。
【００３４】
その後、ハンマー相当部材Ｈはハンマー２３がストップレール３２のフェルト３２ａに衝突した後、逆方向に揺り戻される。ここで、ボタンスイッチ６０の第２スイッチＳＷ２は、ハンマー相当部材Ｈが仮想打弦位置ＨＨから逆方向に回動した時点でバット１８による押圧が解除されるためオンからオフとなる。
【００３５】
ハンマー相当部材Ｈが揺り戻されたとき、鍵盤１１が押鍵されたままならば、ウィペン１５はウィペン回動位置Ｗ２、ジャック１７はジャック回動位置Ｊ２のままであり、ハンマー相当部材Ｈはキャッチャ２０が図２にて点線で図示したバックチェック２９に受け止められた姿勢で支持される。この姿勢におけるハンマー相当部材Ｈの位置を、ハンマー中間位置ＨＢ（本発明のハンマー戻り位置に相当）という。ハンマー相当部材Ｈがハンマー中間位置ＨＢにあるとき、第１スイッチＳＷ１はオンのままである。
【００３６】
一方、ハンマー相当部材Ｈが揺り戻されたとき、鍵盤１１が離鍵されていれば、ウィペン１５はウィペン初期位置Ｗ１、ジャック１７はジャック初期位置Ｊ１に戻っているため、ハンマー相当部材Ｈもハンマー初期位置Ｈ１まで戻る。このため、ボタンスイッチ６０の第１スイッチＳＷ１はハンマー中間位置ＨＢとハンマー初期位置Ｈ１の間に定めた所定位置においてオンからオフとなる。
【００３７】
このようなアクション荷重模擬部材２の動作と共に、制御装置１０のＣＰＵ７２はＲＯＭ７３に記憶された制御プログラムの一つである発音処理を実行する。以下に、発音処理について図３のフローチャートに基づいて概略説明する。
この処理が開始されると、まず、第１及び第２スイッチＳＷ１、ＳＷ２により押鍵を検出したか否かを判断する（Ｓ１０）。即ち、第１スイッチＳＷ１から制御装置１０にオン信号が入力された後、第２スイッチＳＷ２から制御装置１０にオン信号が入力されたとき、押鍵を検出したと判断する。Ｓ１０にて、押鍵を検出しなければ（Ｓ１０でＮＯ）、再びＳ１０に戻る。一方、Ｓ１０にて、押鍵を検出したならば（Ｓ１０でＹＥＳ）、第１スイッチＳＷ１からオン信号を入力した時期と第２スイッチＳＷ２からオン信号を入力した時期から両者の時間差△Ｔを求め、この時間差△Ｔから押鍵速度Ｖを例えば次式によって算出する（Ｓ１２）。
【００３８】
Ｖ←Ｋ／△Ｔ（Ｋは定数）
続いて、押鍵速度Ｖから打鍵強度Ｐを例えば次式によって算出する（Ｓ１４）。
Ｐ←Ｋ’・Ｖ（Ｋ’は定数）
そして、鍵番号、打鍵強度Ｐに基づき、所定の波形信号を得、その波形信号に基づいて電子音源５を制御しスピーカ６から発音させる（Ｓ１６）。ここで、発音させるタイミングは、第２スイッチＳＷ２がオンになったときである（Ｓ１０〜Ｓ１６の処理は数ｍｓｅｃで行われるため、これらの処理により発音タイミングが遅れることはない）。
【００３９】
その後、第１スイッチＳＷ１により離鍵を検出したか否かを判断する（Ｓ１８）。即ち、第１スイッチＳＷ１から制御装置１０にオフ信号が入力されたとき、離鍵を検出したと判断する。Ｓ１８にて、離鍵を検出しなければ（Ｓ１８でＮＯ）、再びＳ１８に戻る。このとき、スピーカ６からは電子音源５により発音された音は徐々に減衰するように出力される。一方、Ｓ１８にて、離鍵を検出したならば（Ｓ１８でＹＥＳ）、電子音源５からの発音を停止し（Ｓ２０）、その後再びＳ１０に戻る。
【００４０】
以上の第１実施例によれば、以下の効果が得られる。
▲１▼アクション荷重模擬部材２は、打弦を行わない点を除き、通常のアコスティックピアノのアクション機構と同じ動作を行うため、演奏者が押鍵操作したときの鍵盤のタッチ感は、通常のアコスティックピアノのタッチ感と同等であるという効果が得られる。
▲２▼ボタンスイッチ６０は鍵盤１１の下方に設ける必要がないため、筬８と鍵盤１１との間隔を広げる必要がなく通常のアコスティックピアノと同等の外観になり、また鍵盤高さを調整する際通常のアコスティックピアノと同様の手法（バランスパンチング９の厚さ（枚数）により調整）をそのまま適用できる。
▲３▼発音タイミングは第２スイッチＳＷ２がオンになった時点、つまりハンマー２３がストップレール３２に動作を阻止された時であり、これはアコスティックピアノにおいてハンマーが打弦した時に相当する。このため、タッチレスポンスがアコスティックピアノと同等になるという効果が得られる。
▲４▼打鍵情報、発音タイミング、止音タイミングを１箇所に設けたボタンスイッチ６０で検出できるため、各情報、タイミング毎にボタンスイッチを設ける場合と比べてコスト面で有利である。
▲５▼電子ピアノ１は、弦は不要であり、弦を張架するためのフレームや支柱等の重量部材も不要になるため、アコスティックピアノに比べてかなり軽量化される。［第２実施例］
図４は、第２実施例のアクション荷重模擬部材の説明図である。第２実施例は、図４に示すように、ボタンスイッチ６０の設置場所を変更した以外は第１実施例と同様の構成であるため、同じ構成要素については同じ符号を付し、その説明を省略する。また、第２実施例の概略ブロック図は図１で表される第１実施例と同様である。
【００４１】
ボタンスイッチ６０は、弾力性のある材料により形成されたカバー６１の中にそれぞれ固定接点と可動接点が一対となった第１スイッチＳＷ１、第２スイッチＳＷ２を有している。このボタンスイッチ６０は、プリント基板Ｐ上においてキャッチャ２０と対向する位置に配設されている。第１スイッチＳＷ１は、ハンマー相当部材Ｈがハンマー初期位置Ｈ１からハンマー中間位置ＨＢまでの間に定めた所定位置（図示せず）に至ったとき、キャッチャ２０によりスイッチが切り替えられる。また、第２スイッチＳＷ２は、ハンマー相当部材Ｈが仮想打弦位置ＨＨに至ったときのみキャッチャ２０により押圧されてオンになる。第２実施例はこのように構成されているため、第１実施例と同様の作用・効果を奏する。
［上記実施例の変形例］
ボタンスイッチ６０の設置場所は、第１実施例ではバット１８に対向する位置、第２実施例ではキャッチャ２０に対向する位置としたが、バット１８、キャッチャシャンク１９、キャッチャ２０、ハンマーシャンク２１、ハンマー２３は一体化されているため、設置場所はこれらうちのいずれかの部材に対向する位置であればよく、その部材により上記実施例と同様のタイミングで第１スイッチＳＷ１、第２スイッチＳＷ２のスイッチを切り替えるようにすればよい。この場合にも上記第１実施例と同様の効果を得ることができる。
【００４２】
また、上記実施例において、第２スイッチＳＷ２が押し込まれてオンされたときのハンマー及びハンマーシャンクの姿勢を、アコスティックピアノにおける打弦姿勢と一致させれば、特にストップレール３２を設けなくてもよい。この場合、可撓性のあるボタンスイッチ６０の第２スイッチＳＷ２がストップレール３２の役割を果たすため、別途ストップレール３２を設ける手間が入らず、コスト的にも有利である。
【００４３】
また、上記実施例の第１及び第２スイッチＳＷ１、ＳＷ２は接触型のボタンスイッチを利用したが、これ以外に接触型のリーフスイッチや非接触型の光スイッチを用いてもよい。ここで、リーフスイッチとは、互いに対向する２つの固定接点の間に１枚のバネ板状の可動接点が設けられ、可動接点は通常一方の固定接点（第１スイッチＳＷ１として用いる）に接触し、外力により他方の固定接点（第２スイッチＳＷ２として用いる）に接触し、外力を除去すると再び一方の固定接点に接触するスイッチをいう。
【００４４】
また、上記実施例はアップライト型の電子ピアノについて説明したが、本発明はグランド型の電子ピアノについても同様に適用することができる。
【図面の簡単な説明】
【図１】第１実施例の概略ブロック図である。
【図２】第１実施例のアクション荷重模擬部材の説明図である。
【図３】発音処理のフローチャートである。
【図４】第２実施例のアクション荷重模擬部材の説明図である。
【図５】本発明の比較対象である電子ピアノのアクション模擬荷重部材の説明図である。
【符号の説明】
１・・・電子ピアノ、                        ２・・・アクション荷重模擬部材、
５・・・電子音源、                            ６・・・スピーカ、
１０・・・制御装置、                        １１・・・鍵盤、
１５・・・ウィペン、                      １６・・・レギュレチングレール、
１７・・・ジャック、                        １８・・・バット、
１９・・・キャッチャシャンク、    ２０・・・キャッチャ、
２１・・・ハンマーシャンク、        ２３・・・ハンマー、
２８・・・ハンマーレール、            ３２・・・ストップレール、
６０・・・ボタンスイッチ、            ６１・・・カバー、
ＳＷ１・・・第１スイッチ、            ＳＷ２・・・第２スイッチ、
【図１】
0003598157.tif 000002
【図２】
0003598157.tif 000003
【図３】
0003598157.tif 000004
【図４】
0003598157.tif 000005
【図５】
0003598157.tif 000006